(57)【要約】  【課題】  幅の広い大型のスタンドを必要とせず省スペース化を図れ、しかも部品点数が少なくて構造を簡単化でき、外部接続端子を有する接続用コードの配線を容易にできる。【解決手段】  一端に棚１０の底板１０ａに当接する当接部４ａを、他端に雌ねじ部５ａを有する柱状の第１の支柱３と、一端に棚１０の天板１０ｂに当接する当接部９ａを、他端に雌ねじ部９ｂを有する柱状の第２の支柱９とを有し、薄型テレビジョン１の上下の雄ねじ部２ａ、２ｂは薄型テレビジョン１に一体に設けられた連結用支柱部２の上下端に形成され、第１の支柱３は当接部４ａを有する下部側支柱４と、下部側支柱４と薄型テレビジョン１との間に配置されて上端に雌ねじ部５ａを有する筒状支持部５とで構成され、第１の支柱３の下部側支柱４に薄型テレビジョン１内の基板６に一端を接続されて筒状支持部５内に配設された接続用コード７が引き出される孔部４ｃが形成されている。【選択図】  図１
2009021731.tif 000002
【特許請求の範囲】
【請求項１】
一端に床あるいは棚の底板に当接する当接部を、他端に連結部を有する柱状の第１の支柱と、一端に天井あるいは棚の天板に当接する当接部を、他端に連結部を有する柱状の第２の支柱とを有し、前記第１の支柱と前記第２の支柱の連結部に薄型テレビジョンの上下の連結部を連結することにより、前記薄型テレビジョンを支持するようにした薄型テレビジョンの支持構造において、前記薄型テレビジョンの上下の連結部は前記薄型テレビジョンに一体に設けられた連結用支柱部の上下端に形成されており、前記第１の支柱は、前記当接部を有する下部側支柱と、この下部側支柱と前記薄型テレビジョンの連結部との間に配置されて上端に前記連結部を有する筒状支持部とで構成され、前記第１の支柱の下部側支柱には、前記薄型テレビジョン内の基板に一端を接続されて前記筒状支持部内に配設された接続用コードが引き出される孔部が形成されていることを特徴とする薄型テレビジョンの支持構造。
【請求項２】
前記第２の支柱の連結部と前記第１の支柱の筒状支持部の連結部は雌ねじ部で構成され、前記薄型テレビジョンの上下の連結部は上下に突出して形成されて前記各雌ねじ部に螺入される雄ねじ部で形成されている請求項１に記載の薄型テレビジョンの支持構造。
【請求項３】
前記第１の支柱の筒状支持部内には、前記下部側支柱の上端に形成された鍔状部が入り込む円形溝部が形成されて前記筒状支持部が回転自由に支持されている請求項１又は２に記載の薄型テレビジョンの支持構造。
【請求項４】
前記第１の支柱の下部側支柱の孔部には、前記接続用コードを前記下部側支柱の内部側に向けて引き出し可能な弾性体が嵌め込まれている請求項１乃至３のいずれかに記載の薄型テレビジョンの支持構造。
【発明の詳細な説明】
【技術分野】
【０００１】
本発明は、一端に床あるいは棚の底板に当接する当接部を、他端に連結部を有する柱状の第１の支柱と、一端に天井あるいは棚の天板に当接する当接部を、他端に連結部を有する柱状の第２の支柱とを有し、第１の支柱と第２の支柱の連結部に薄型テレビジョンの上下の連結部を連結することにより、薄型テレビジョンを支持するようにした薄型テレビジョンの支持構造に関するものである。
【背景技術】
【０００２】
一般に、薄型テレビジョンの支持構造は、図４に示すように、薄型のテレビジョン本体１０１の下側に幅が広い大型のスタンド１０２を設けて、棚１０３の底板１０３ａに据置していた。ところが、スタンド１０２の幅が広いので、棚１０３の横幅の寸法Ｈが大きくなり、広いスペースを必要とするという問題があった。
【０００３】
第１の従来技術を図５（ａ）（ｂ）に示す。この従来のディスプレイパネルの支持構造は、図５（ａ）（ｂ）に示すように、ディスプレイパネル２０１を支持する縦支柱２０２と、縦支柱２０２の両端部を固定するために固定面である床面２１０及び天井面２１１に固定される受け台２０３ａ、２０３ｂとを備え、受け台２０３ａ、２０３ａと縦支柱２０２とを組み合わせた組み合わせ長さを床面２１０と天井面２１１との間の高さの差に合わせて調整する長さ調整機構、縦支柱２０２に対し縦方向に摺動自在とする上下機構２０６、回転方向の移動自在とする回転機構２０５と保持具２０４、及び仰角を可変と擦るディスプレイパネル支持具２０７を有する。（例えば、特許文献１参照）。
【０００４】
ところが、これにおいては、横方向に配置した保持具２０４やディスプレイ支持具２０７を必要とするために部品点数が多くなるという問題があった。
【０００５】
第２の従来技術を図６（ａ）（ｂ）に示す。この従来の薄型テレビ用スタンドは、図６（ａ）（ｂ）に示すように、１本の縦柱３０２の長さを床３０６と天井３０７の高さに調節固定し尚且つ垂直に立てることで、縦柱３０２が転倒しないようにする。１本の横柱３０３を任意の高さで縦柱３０２が縦柱３０３のセンターになる位置に結合する。テレビ３０１を留め具３０４と留め具３０５とでそれぞれ縦柱３０２と横柱３０３とに固定するようになっている。（例えば、特許文献２参照）。
【０００６】
ところが、これにおいては、横柱３０３や留め具３０４、３０５を必要とするために、部品点数が多くなり、構造が複雑になるという問題があった。
【０００７】
第３の従来技術を図７（ａ）（ｂ）（ｃ）に示す。この従来の薄型ディスプレイ用スタンドは、図７（ａ）（ｂ）（ｃ）に示すように、クランプ体４３０側に固定する側面略コ字形状の連結具４４１を設ける。連結具４４１に上下端部を軸着されて左右遥動自在に保持されたピボット軸受け４４２を設ける。ピボット軸受４４２を介して薄型ディスプレイＰに固定する平面略コ字形状のヒンジ体４４３を設ける。ピボット軸受４４２の左右側面の内部に装着した複数枚の皿ばね４４２Ａを介してヒンジ体４４３をピボット軸受４４２に軸着する。ヒンジ体４４３の先端に固定した薄型ディスプレイＰをピボット軸受４４２にて上下遥動自在に支持する。（例えば、特許文献３参照）。
【０００８】
ところが、これにおいては、図７（ｃ）に示すように、多くの部品を必要とするために構造が複雑になるという問題があった。
【０００９】
第４の従来技術を図８に示す。この従来の表示装置用スタンドは、図８に示すように、一端に床に当接する当接部５０１ａを、他端に連結手段を有する柱状の第１の支柱５０１と、一端に天井に当接する当接部５０２ａを、他端に連結手段を有する柱状の第２の支柱５０２と、両端を第１の支柱５０１と第２の支柱５０２の連結手段に連結され、周囲に複数のネジ孔５０３ｄを有する第３の支柱５０３と、下方に外径の大きいテーパ部５０４ａを有し、第３の支柱５０３に固定されるテーパ付スペーサ５０４と、両端に挿通孔を有し、中央にテーパ部に対応する凹部５０５ａを形成してなる第１のホルダ５０５と、両端に装置取付部５７１、５７２を有し、第１のホルダの挿通孔に対応する位置にネジ孔５０６ｂを形成し、中央にテーパ部に対応する凹部５０６ａを設けてなる第２のホルダ５０６とでなり、第１のホルダ５０５と第２のホルダ５０６とでテーパ付きスペーサ５０４の両端を挟持する。（例えば、特許文献４参照）
ところが、これにおいては、テーパ付きスペーサ５０４や第１のホルダ５０５、第２のホルダ５０６を必要とするために部品点数が多く、構造が複雑であるという問題があった。
【特許文献１】特開２００３−３３０３７９号公報
【特許文献２】特開２００６−３０４２４０号公報
【特許文献３】特開２００３−１７７６７６号公報
【特許文献４】特開平１１−１８４３９４号公報
【発明の開示】
【発明が解決しようとする課題】
【００１０】
本発明は、上記従来の問題に鑑みてなされたものであって、テレビジョン受像機を据置する幅の広い大型のスタンドを必要とせず省スペース化を図れ、しかも部品点数が少なくて構造を簡単化することができ、更に、外部接続端子を有する接続用コードの配線を容易にできる薄型テレビジョンの支持構造を提供することを目的としている。
【課題を解決するための手段】
【００１１】
本発明は、上記課題を解決するために提案されたものであって、請求項１に記載の発明は、一端に床あるいは棚の底板に当接する当接部を、他端に連結部を有する柱状の第１の支柱と、一端に天井あるいは棚の天板に当接する当接部を、他端に連結部を有する柱状の第２の支柱とを有し、前記第１の支柱と前記第２の支柱の連結部に薄型テレビジョンの上下の連結部を連結することにより、前記薄型テレビジョンを支持するようにした薄型テレビジョンの支持構造において、前記薄型テレビジョンの上下の連結部は前記薄型テレビジョンに一体に設けられた連結用支柱部の上下端に形成されており、前記第１の支柱は、前記当接部を有する下部側支柱と、この下部側支柱と前記薄型テレビジョンの連結部との間に配置されて上端に前記連結部を有する筒状支持部とで構成され、前記第１の支柱の下部側支柱には、前記薄型テレビジョン内の基板に一端を接続されて前記筒状支持部内に配設された接続用コードが引き出される孔部が形成されていることを特徴としている。
【００１２】
請求項２に記載の発明は、請求項１に記載の発明において、前記第２の支柱の連結部と前記第１の支柱の筒状支持部の連結部は雌ねじ部で構成され、前記薄型テレビジョンの上下の連結部は上下に突出して形成されて前記各雌ねじ部に螺入される雄ねじ部で形成されている。
【００１３】
請求項３に記載の発明は、請求項１又は２に記載の発明において、前記第１の支柱の筒状支持部内には、前記下部側支柱の上端に形成された鍔状部が入り込む円形溝部が形成されて前記筒状支持部が回転自由に支持されている。
【００１４】
請求項４に記載の発明は、請求項１乃至３のいずれかに記載の発明において、前記第１の支柱の下部側支柱の孔部には、前記接続用コードを前記下部側支柱の内部側に向けて引き出し可能な弾性体が嵌め込まれているものである。
【発明の効果】
【００１５】
請求項１に記載の発明によれば、柱状の第１支柱と第２の支柱とで薄型テレビジョンを支持することができるから、薄型テレビジョンを据置するために従来使用していた幅の広い大型のスタンドを必要とせずに省スペース化を図ることができる。また、薄型テレビジョンを支持するときに、横柱や留め具等を使用しないから、部品点数が少なくて構造を簡単化することができる。更に、外部接続端子を有する接続用コードを薄型テレビジョン内の基板から筒状支持部内に配設して第１の支柱の下部側支柱に形成された孔部から外部に引き出すことができるから、配線を容易にでき、薄型テレビジョンを回転したときにこの接続用コードが邪魔になることがない。
【００１６】
請求項２に記載の発明によれば、第２の支柱の雌ねじ部で形成された連結部及び第１の支柱の筒状支持部の雌ねじ部で形成された連結部に薄型テレビジョンの連結用支柱部の上下の雄ねじ部からなる連結部を接続することによって、薄型テレビジョンが支持されるから、取付作業を簡単に行うことができ、薄型テレビジョンを回転して最も良い向きにすることもできる。
【００１７】
請求項３に記載の発明によれば、第１の支柱の筒状支持部内に形成された円形溝部に下部側支柱の上端の鍔状部が入り込むから、第１の支柱の下部側支柱に対して筒状支持部を回転自由にすることができて、薄型テレビジョンの向きを容易に変えることができる。また、薄型テレビジョンの画面を回転するために、外部接続端子を回転しない下部側支柱に配置することができて、配線を容易に行なうことができる。
【００１８】
請求項４に記載の発明によれば、第１の支柱の下部側支柱に孔部に弾性体が嵌め込まれているから、外部接続端子を有する接続コードを下部側支柱の内部側に向けて容易に引き出すことができる。このことにより、必要に応じて、薄型テレビジョンを従来のスタンドに取り付けて据置ことも可能である。
【発明を実施するための最良の形態】
【００１９】
以下、本発明に係る薄型テレビジョンの支持構造の実施の形態について、図を参照しつつ説明する。
【００２０】
図１は本発明の実施の形態の薄型テレビジョンの支持構造を示し、（ａ）はその薄型テレビジョンと第１の支柱と第２の支柱の筒状支持部と下部側支柱の分解した背面図、（ｂ）はその薄型テレビジョンを棚内に配置した状態の正面図、（ｃ）は薄型テレビジョンを棚内に配置した状態の平面断面図、（ｄ）はその下部側支柱から接続用コードを引き出している状態の正面図、（ｅ）はその第１の支柱の筒状支持部と下部側支柱の連結状態を示す拡大縦断面図、図２は薄型テレビジョン内の基板から筒状支持部を経て下部側支柱の孔部に接続用コードを配線した状態の側面図である。
【００２１】
本実施形態の薄型テレビジョンの支持構造は、図１（ａ）に示すように、薄型テレビジョン１の裏面に連結用支柱部２が一体に設けられ、この連結用支柱部２の上下端に雄ねじ部２ａ、２ｂからなる連結部が形成されている。この連結用支柱部２の下端の雄ねじ部２ａに連結される第１の支柱３は、下部側支柱４と筒状支持部５とからなり、下部側支柱４の下端には、小皿状の当接部４ａが設けられ、筒状支持部５の上端には、連結支柱部２の下端の雄ねじ部２ａが螺入される雌ねじ部５ａが形成されている。図１（ｅ）にも示すように、この筒状支持部５の内部には円形溝部５ｂが形成され、この円形溝部５ｂに下部側支柱４の上端に形成された鍔状部４ｂが回転自由に入り込んでいる。また、図１（ａ）、図２に示すように、薄型テレビジョン１内の基板６に接続用コード７が接続され、この接続用コード７は筒状支持部５内から下部側支柱４内に配線されて、下部側支柱４の孔部４ｃから外側に引き出されている。この下部側支柱４の孔部４ｃには、図１（ｄ）に示すように、ゴム等の弾性体８が嵌め込まれており、この弾性体８には接続用コード７を引き出すための放射状の溝部８ａが形成されている。また、図１（ａ）に示すように、連結用支柱部２の上端の雄ねじ部２ｂからなる連結部には、上端に小皿状の当接部９ａを有する第２の支柱９の下端に形成された雌ねじ部９ｂからなる連結部が螺入することによって連結されるようになっている。
【００２２】
図１（ｂ）に示すように、薄型テレビジョン１は棚１０内に配置され、上下に接続された第１の支柱３の下部側支柱４の当接部４ａが棚１０の底板１０ａに当接され、第２の支柱９の当接部９ａが天板１０ｂに当接されることによって、薄型テレビジョン１が棚１０内に固定状態で配置されるようになっている。また、第１の支柱３の下部側支柱４に対して筒状支持部５が回転自由であるから、この筒状支持部５に支持された薄型テレビジョン１の画面の角度を自由に調整することが可能である。
【００２３】
図３は薄型テレビジョンを従来のスタンドに取り付けた状態を示す背面図である。
【００２４】
図３に示すように、従来のスタンド１１の支柱部１１ａの上端に雌ねじ部１１ｂからなる連結部を形成すると共に、スタンド１１の支柱部１１ａに孔部１１ｃを形成することにより、薄型テレビジョン１の連結用支柱部２の下端の雄ねじ部２ａからなる連結部をスタンド１１の支柱部１１ａの雌ねじ部１１ｂからなる連結部に螺入して連結し、孔部１１ｃから接続用コード７を引き出して、従来のスタンド１１に取り付けることも可能である。尚、スタンド１１の支柱部１１ａの孔部１１ｃには、図示しないが、図１（ｄ）に示す弾性体８が嵌め込まれている。
【００２５】
従って、本実施形態によれば、柱状の第１支柱３と第２の支柱９とで薄型テレビジョン１を支持することができるから、薄型テレビジョン１を据置するために従来使用していた幅の広い大型のスタンドを必要とせず、図１（ｃ）に示すように、棚１０の幅ｈを小さくすることができて省スペース化を図ることができる。また、薄型テレビジョン１を支持するときに、横柱や留め具等を使用しないから、部品点数が少なくて構造を簡単化することができる。更に、外部接続端子を有する接続用コード７を薄型テレビジョン１内の基板６から筒状支持部５内に配設して第１の支柱３の下部側支柱４に形成された孔部４ｃから外部に引き出すことができるから、配線を容易にでき、薄型テレビジョン１を回転したときにこの接続用コード７が邪魔になることがない。
【００２６】
また、第２の支柱９の雌ねじ部９ｂで形成された連結部及び第１の支柱３の筒状支持部５の雌ねじ部５ａで形成された連結部に薄型テレビジョン１の連結用支柱部２の上下の雄ねじ部２ａ、２ｂからなる連結部を接続することによって、薄型テレビジョン１が支持されるから、取付作業を簡単に行うことができ、薄型テレビジョン１を回転して最も良い向きにすることもできる。
【００２７】
更に、第１の支柱３の筒状支持部５内に形成された円形溝部５ｂに下部側支柱４の上端の鍔状部４ｂが入り込むから、第１の支柱３の下部側支柱４に対して筒状支持部５を回転自由にすることができて、薄型テレビジョン１の向きを容易に変えることができる。また、薄型テレビジョン１の画面を回転するために、接続用コード７を回転しない下部側支柱４に配置することができて、配線を容易に行なうことができる。
【００２８】
しかも、第１の支柱３の下部側支柱４に孔部４ｃに弾性体８が嵌め込まれているから、外部接続端子を有する接続コード７を下部側支柱４の内部側に向けて容易に引き出すことができる。このことにより、必要に応じて、薄型テレビジョン１を従来のスタンド１１に取り付けて据置ことも可能である。
【００２９】
尚、本実施形態においては、薄型テレビジョン１を棚１０内に固定して配置した例について説明したが、これに限らず、例えば、第１の支柱３と第２の支柱９とを長さが長いものを使用して、床と天井間に薄型テレビジョン１を配置することも可能である。
【図面の簡単な説明】
【００３０】
【図１】本発明の実施の形態の薄型テレビジョンの支持構造を示し、（ａ）はその薄型テレビジョンと第１の支柱と第２の支柱の筒状支持部と下部側支柱の分解した背面図、（ｂ）はその薄型テレビジョンを棚内に配置した状態の正面図、（ｃ）は薄型テレビジョンを棚内に配置した状態の平面断面図、（ｄ）はその下部側支柱から接続用コードを引き出している状態の正面図、（ｅ）はその第１の支柱の筒状支持部と下部側支柱の連結状態を示す拡大縦断面図である。
【図２】薄型テレビジョン内の基板から筒状支持部を経て下部側支柱の孔部に接続用コードを配線した状態の側面図である。
【図３】薄型テレビジョンを従来のスタンドに取り付けた状態を示す背面図である。
【図４】従来の薄型テレビジョンの棚内への据置状態を示し、（ａ）はその正面図、（ｂ）はその平面断面図である。
【図５】従来のディスプレイパネルの支持構造を示し、（ａ）はその正面図、（ｂ）はその部分側面図である。
【図６】従来の薄型テレビ用スタンドを示し、（ａ）はその正面図、（ｂ）はその側面図である。
【図７】従来の薄型ディスプレイ用スタンドを示し、（ａ）はその側面図、（ｂ）はその正面図、（ｃ）はそのピボット軸受を示す分解斜視図である。
【図８】従来の表示装置用スタンドの分解斜視図である。
【符号の説明】
【００３１】
１      薄型テレビジョン
２      連結用支柱部
２ａ    雄ねじ部
２ｂ    雄ねじ部
３      第１の支柱
４      下部側支柱
４ａ    当接部
４ｂ    鍔状部
４ｃ    孔部
５      筒状支持部
５ａ    雌ねじ部
５ｂ    円形溝部
６      基板
７      接続用コード
８      弾性体
８ａ    放射状の溝部
９      第２の支柱
９ａ    当接部
９ｂ    雌ねじ部
１０    棚
１０ａ  底板
１０ｂ  天板
１１    従来のスタンド
１１ａ  支柱部
１１ｂ  雌ねじ部
１１ｃ  孔部
【図１】
2009021731.tif 000003
【図２】
2009021731.tif 000004
【図３】
2009021731.tif 000005
【図４】
2009021731.tif 000006
【図５】
2009021731.tif 000007
【図６】
2009021731.tif 000008
【図７】
2009021731.tif 000009
【図８】
2009021731.tif 000010